(57)【要約】【課題】  椅子に着座する際に、帯布の左側部および右側部を左右の大腿部と前記椅子の着座面との間にそれぞれ挟み込むだけで、着座時の開脚に起因する疲労を防止する。【解決手段】  膝掛け布１１の中央に長手の帯布１２が取り付けられた開脚防止帯であって、  帯布１２は、長さが８０ｃｍ以上１５０ｃｍ、幅が５ｃｍ以上１５ｃｍ以下、膝掛け布１１は、１辺が中心部が前記帯布の中央に取り付けられた一辺が少なくとも２５ｃｍ以上６０ｃｍ以下のサイズであり、椅子２に着座する際に、膝掛け布１１は、帯布１２との取付け部が下面側となりかつ帯布１２が左右を向くように大腿部上に配置され、帯布１２の左側部および右側部が左右の大腿部と椅子２の着座面２１との間にそれぞれ挟み込まれて使用されることを特徴とする。【選択図】    図２
2005179816.tif 000002
【特許請求の範囲】
【請求項１】
膝掛け布の中央に長手帯布が取り付けられた開脚防止帯であって、
前記帯布は、長さが８０ｃｍ以上１５０ｃｍ以下、幅が５ｃｍ以上１５ｃｍ以下、前記膝掛け布は、中心部が前記帯布の中央に取り付けられた一辺が少なくとも２５ｃｍ以上６０ｃｍ以下のサイズであり、
椅子に着座する際に、前記膝掛け布は、前記帯布との取付け部が下面側となりかつ前記帯布が左右を向くように大腿部上に配置され、前記帯布の左側部および右側部が左右の大腿部と前記椅子の着座面との間にそれぞれ挟み込まれて使用されることを特徴とする開脚防止帯。
【請求項２】
前記膝掛け布には、当該膝掛け布および前記帯布を折り畳んで収納するためのポケットが設けられていることを特徴とする請求項１に記載の開脚防止帯。
【請求項３】
前記膝掛け布は、四隅の一つを頂点とする三角形状の頭巾を構成することを特徴とする請求項１または２に記載のに記載の開脚防止帯。
【請求項４】
前記膝掛け布の四隅を前記帯布の所定部位に係止し、当該膝掛け布をバッグ状に形成したことを特徴とする請求項１から３の何れかに記載のに記載の開脚防止帯。
【請求項５】
長手帯布の何れかの個所に、帯布を折り畳んで収納するためのポケットが設けられた開脚防止帯であって、
前記帯布は、長さが８０ｃｍ以上１５０ｃｍ、幅が５ｃｍ以上１５ｃｍ以下のサイズであり、
椅子に着座する際に、前記帯布を左右を向くように大腿部上に配置し、前記帯布は、その左側部および右側部が左右の大腿部と前記椅子の着座面との間にそれぞれ挟み込まれて使用されることを特徴とする開脚防止帯。
【発明の詳細な説明】
【技術分野】
【０００１】
本発明は、膝掛け布の中央に長手帯布が取り付けられた開脚防止帯に関し、椅子に着座する際に、膝掛け布を膝上（大腿部上）に配置し、帯布の左側部および右側部を左右の大腿部と前記椅子の着座面との間にそれぞれ挟み込むことで着座時の開脚に起因する疲労を防止することができる開脚防止帯に関する。
【背景技術】
【０００２】
人が椅子に着座すると、膝頭が自然と開く（すなわち大腿部が開く）ため、長時間着座した場合には、前記大腿部の開脚に起因して疲労が生じる。
図１に示すようにバンド９１で、大腿部を締め具９２を使用して締め付けることで、上記開脚を防ぐことができる（特許文献１参照）。
【特許文献１】特開２００３-１４４４７０
【発明の開示】
【発明が解決しようとする課題】
【０００３】
しかし、大腿部をバンドで締め付けた場合には、地震、火災等の緊急時に、即座の動作ができず、転倒等が危惧される。
また、レストラン、講演会等の会場等における、図１のバンド９１の使用は、周囲の人には奇異にうつるため、使用がためらわれる傾向が強い。
本発明の目的は、椅子に着座した際に開脚による疲労を防止でき、かつ使用していること目立たない開脚防止帯を提供することにある。
【０００４】
本発明の他の目的は、防災頭巾、形態バッグとしても使用することができる上記開脚防止帯を提供することにある。
【課題を解決するための手段】
【０００５】
本発明の開脚防止帯は、膝掛け布の中央に長手帯布が取り付けられたものであって、前記帯布は長さが８０ｃｍ以上１５０ｃｍ以下、幅が５ｃｍ以上１５ｃｍ以下、前記膝掛け布は中心部が前記帯布の中央に取り付けられた一辺が少なくとも２５ｃｍ以上６０ｃｍ以下のサイズであり、椅子に着座する際に、前記膝掛け布は、前記帯布との取付け部が下面側となりかつ前記帯布が左右を向くように大腿部上に配置され、前記帯布の左側部および右側部が左右の大腿部と前記椅子の着座面との間にそれぞれ挟み込まれて使用されることを特徴とする。
【０００６】
本発明の開脚防止帯では、前記膝掛け布に、当該膝掛け布および前記帯布を折り畳んで収納するためのポケットを設けることができる。
【０００７】
また、本発明の開脚防止帯では、前記膝掛け布は、四隅の一つを頂点とする三角形状の頭巾を構成することができ、また四隅を前記帯布の所定部位に係止し、当該膝掛け布をバッグ状に形成する。
【０００８】
本発明の開脚防止帯は、長手帯布の何れかの個所に、帯布を折り畳んで収納するためのポケットが設けられ、前記帯布は、長さが８０ｃｍ以上１５０ｃｍ、幅が５ｃｍ以上１５ｃｍ以下のサイズであり、椅子に着座する際に、前記帯布を左右を向くように大腿部上に配置し、前記帯布は、その左側部および右側部が左右の大腿部と前記椅子の着座面との間にそれぞれ挟み込まれて使用されることを特徴とする。
【発明の効果】
【０００９】
椅子に着座する際に、帯布の左側部および右側部を左右の大腿部と前記椅子の着座面との間にそれぞれ挟み込むだけなので、簡単な方法で、着座時の開脚に起因する疲労を防止することができる。
また、膝掛け布を備えたものでは、使用に際して膝掛け布により帯布は隠蔽されるので、周囲の目を気にすることなく使用ができる。
【００１０】
さらに、前記膝掛け布は頭巾やバッグとして使用することもでき、これらは帯布等に設けたポケットに折り畳んで収納することができるので、携帯するのに適している。
【発明を実施するための最良の形態】
【００１１】
図２は本発明の開脚防止帯の第１構成例を示す説明図であり、（Ａ），（Ｂ）は、開脚防止帯の平面図，底面図を示し、（Ｃ），（Ｄ）は斜視平面図，斜視底面図を示している。図２の開脚防止帯は、膝掛け布１１の２つの対向辺と、帯布１２の長手方向とが平行となるように構成され、膝掛け布１１の中央部と、長手の帯布１２の中央部とは縫合（縫合部を符号１３で示す）されており、帯布１２の一方の端部にポケット１４が取り付けられている。このポケットには、携帯時には膝掛け布１１および帯布１２が折り畳んで収納される。
【００１２】
図３は本発明の開脚防止帯の第２構成例を示す説明図であり、（Ａ），（Ｂ）は、開脚防止帯の平面図，底面図を示している。図３の開脚防止帯は、膝掛け布１１の対向辺と、帯布１２の長手方向とが４５°ないし１３５°となるように構成され、膝掛け布１１の中央部と、長手の帯布１２の中央部とは縫合（縫合部を符号１３で示す）されており、膝掛け布１１は、四隅の１つ（帯布１２と直行する斜辺を通る２つの角部のうち一方）が頂点となる頭巾部１５として構成されている。すなわち、図３では、頭巾部１５は、膝掛け布１１の２つの隣接する辺を斜辺とする三角形袋として構成されている。また、図２の開脚防止帯と同様、帯布１２の一方の端部にポケット１４が取り付けられている。
【００１３】
図４は本発明の開脚防止帯の第３構成例を示す説明図であり、開脚防止帯の平面図，底面図を示している。図４の開脚防止帯は、図２の開脚防止帯の膝掛け布１１の四隅にそれぞれ係止糸１６が取り付けられており、帯布１２には係止糸１６を取り付けるフック１７が取り付けられている各係止糸１６を破線で示すように各フック１７に取り付けることにより膝掛け布１１をバッグ状に形成することができる。
【００１４】
図５は図２の開脚防止帯の使用形態を示す図であり、椅子２に着座した際に、膝掛け布１１は、帯布１２との取付け部が下面側となりかつ帯布１２が左右を向くように大腿部上に配置されている。、帯布１２の左側部および右側部が左右の大腿部と椅子２の着座面２１との間にそれぞれ挟み込まれている。
【００１５】
図６は本発明の開脚防止帯の作用を示す説明図であり、（Ａ−１），（Ａ−２）は開脚防止帯を使用しない場合の椅子２に着座している状態を示す平面図および脚部正面図であり、（Ｂ−１），（Ｂ−２）は図２の開脚防止帯を使用しない場合の椅子２に着座している状態を示す平面図および脚部正面図である。
開脚防止帯を使用しない場合には、図６（Ａ−１），（Ａ−２）に示すように、大腿部は広がってしまう。開脚防止帯を使用した場合には、図６（Ｂ−１），（Ｂ−２）に示すように、大腿部は広がることはない。
【００１６】
また、帯布１２は、大腿部と着座面２１との間に挟み込まれるだけなので、地震、火事等の緊急時においても帯布１２により脚部が拘束されることはなく、また膝掛け布１１により帯布１２は隠されるので、周囲の目を気にすることなく使用できる。
【００１７】
上記の各構成例では、ポケット１４を帯布１２の端部の一方に設けたが、本発明はこれには限定されない。
【００１８】
本発明では、膝掛け布を備えないで構成することができる。図７（Ａ），（Ｂ）は、開脚防止帯１２の平面図，底面図を示しており、（Ｂ）に示すように開脚防止帯１２には、ポケット１４が備えられている。
【図面の簡単な説明】
【００１９】
【図１】従来の開脚防止帯を示す図である。
【図２】本発明の開脚防止帯の第１構成例を示す説明図であり、（Ａ），（Ｂ）は、開脚防止帯の平面図，底面図を示し、（Ｃ），（Ｄ）は斜視平面図，斜視底面図を示している。
【図３】本発明の開脚防止帯の第２構成例を示す説明図であり、（Ａ），（Ｂ）は、開脚防止帯の平面図，底面図を示している。
【図４】本発明の開脚防止帯の第２構成例を示す説明図である。
【図５】図２の開脚防止帯の使用形態を示す図である。
【図６】本発明の開脚防止帯の作用を示す説明図であり、（Ａ−１），（Ａ−２）は開脚防止帯を使用しない場合の椅子２に着座している状態を示す平面図および脚部正面図、（Ｂ−１），（Ｂ−２）は図２の開脚防止帯を使用しない場合の椅子２に着座している状態を示す平面図および脚部正面図である。
【図７】（Ａ），（Ｂ）は、膝掛け布を備えない本発明の開脚防止帯の平面図，底面図を示している。
【符号の説明】
【００２０】
２  椅子
１１  膝掛け布
１２  帯布
１３  縫合部
１４  ポケット
１５  頭巾部
１６  係止糸
１７  フック
２１  着座面
【図１】
2005179816.tif 000003
【図２】
2005179816.tif 000004
【図３】
2005179816.tif 000005
【図４】
2005179816.tif 000006
【図５】
2005179816.tif 000007
【図６】
2005179816.tif 000008
【図７】
2005179816.tif 000009